(57)【要約】      （修正有）【課題】災難による被害拡散防止及び被害軽減のために被害を予測して災難に対応できる情報を提供する災難管理システム及びその方法を提供する。【解決手段】高層建物に対する災難管理システムは、前記高層建物に発生した災難を感知する感知部、感知された災難情報を基に高層建物の災難被害を予測する予測部と、予測された被害情報を基に前記発生した災難に対応できる対応情報を提供する対応部を有する。【選択図】図１
2011233150.tif 000002
【特許請求の範囲】
【請求項１】
高層建物に対する災難管理システムにおいて、
前記高層建物に発生した災難を感知する感知部と、
感知された災難情報を基に前記高層建物の災難被害を予測する予測部と、
予測された被害情報を基に前記発生した災難に対応できる対応情報を提供する対応部を有する災難管理システム。
【請求項２】
前記感知部は、前記高層建物に設けられて前記高層建物に発生した火災、浸水、崩落、地震及びテロのうち少なくとも一つを有する災難情報を感知して伝達し、
前記予測部は、伝達された前記災難情報を分析して前記災難による被害拡散を予測する請求項１に記載の災難管理システム。
【請求項３】
前記予測部は、前記高層建物の標準災難シナリオを基に前記災難情報によるシミュレーションを行い、前記シミュレーションによって予測された前記高層建物での被害拡散情報を３次元に変換して表出する請求項２に記載の災難管理システム。
【請求項４】
前記感知部は、火災感知器、ＣＣＴＶ、電話、センサー、水位計、地震計及び地盤変形の進行状態を計測する機器のうち少なくともいずれか一つを有する請求項１に記載の災難管理システム。
【請求項５】
前記対応部は、前記発生した災難の類型、進行段階及び担当体系のうち少なくとも一つによる対応マニュアルを基に前記対応情報を提供する請求項１に記載の災難管理システム。
【請求項６】
前記対応部は、前記対応情報を前記高層建物に設けられたオーディオ装置を介して放送したり、有無線通信を介して前記高層建物の内部または外部に伝送する請求項１に記載の災難管理システム。
【請求項７】
前記対応部は、前記対応部は、提供された前記対応情報に応じて前記高層建物で前記災難への対応が行なわれているかどうかをモニターする請求項６に記載の災難管理システム。
【請求項８】
前記対応部は、前記対応が行なわれていない場合、前記対応情報を再放送したり、再伝送する請求項７に記載の災難管理システム。
【請求項９】
高層建物に対する災難管理方法において、
前記高層建物に発生した災難を感知するステップと、
感知された災難情報を基に前記高層建物の災難被害を予測するステップと、
予測された被害情報を基に前記発生した災難に対応できる対応情報を提供す
るステップを有する災難管理方法。
【請求項１０】
前記感知するステップは、前記高層建物に発生した火災、浸水、崩落、地震及びテロのうち少なくともいずれか一つを有する災難情報を感知するステップであり、
前記予測するステップは、感知された前記災難情報を分析して前記災難による被害拡散を予測するステップである請求項９に記載の災難管理方法。
【請求項１１】
前記被害拡散を予測するステップは、前記高層建物の標準災難シナリオを基に前記災難情報に対するシミュレーションを行なうステップと、
前記シミュレーションによって予測された前記高層建物での被害拡散情報を３次元に変換して表出するステップを有する請求項１０に記載の災難管理方法。
【請求項１２】
前記対応情報を提供するステップは、前記発生した災難の類型、進行段階及び対応体系のうち少なくとも一つによる対応マニュアルを基に前記対応情報を提供するステップを有する請求項９に記載の災難管理方法。
【請求項１３】
前記対応情報を提供するステップは、前記高層建物に設けられたオーディオ装置を介して放送するステップと、
前記高層建物の内部または外部に有無線通信を介して伝送するステップのうち少なくともいずれか一つのステップに前記対応情報を提供するステップである請求項９に記載の災難管理方法。
【請求項１４】
前記対応情報を提供するステップは、提供された前記対応情報に応じて前記高層建物で前記災難への対応が行なわれているかどうかをモニターするステップを有する請求項１３に記載の災難管理方法。
【請求項１５】
前記対応情報を提供するステップは、前記対応が行なわれていない場合、前記対応情報を再放送したり、再伝送するステップを有する請求項１４に記載の災難管理方法。
【発明の詳細な説明】
【技術分野】
【０００１】
本発明は、災難管理システム及びその方法に関するものであって、より詳しくは高層建物に火災のような災難が発生した場合、災難被害を極小化するために災難初期に迅速に対応できるようにするシステム及び方法に関する。
【背景技術】
【０００２】
近年、都心密集化が加重されるにつれて商業地域において、共同住宅と宿泊及び販売施設が業務施設に混用された多重複合用途の超高層建物などが増えつつある。
【０００３】
また、住居地域の超高層マンションとともに一般商業地域にも超高層の住商複合マンションが増えており、地下（地下鉄）駅舎を中心に販売施設を含む文化集会施設、宿泊施設、慰楽施設などの多重利用建物もまた急激に増えつつある。
【０００４】
一方、現在は、超高層または地価複合建物に発生し得る災難に対し、適宜な対策が組織的に樹立されておらず、ただ各々の災難管理機関で散発的に災難状況を収集して対策を樹立する程度である。
【０００５】
従って、超高層または地下複合建物のような建物に、火災、浸水、崩落、地震またはテロなどのような災難が発生すると、災難管理機関は災難鎮圧のための要員を災難現場に投入する。災難鎮圧のための要員は災難現場に到着して災難状況を把握するまでに多くの時間を所要するので、要員によって災難が鎮圧される前に万が一建物でも崩壊される場合には、甚だしい人名被害はもちろん夥しい財産上の損失を齎す。
【０００６】
即ち、災難管理機関は、災難申告を受けたとき或いは災難発生情報が受信されたとき、災難を鎮圧する要員を現場に出動させ、要員は災難が発生した超高層または地下複合建物に到着して災難状況を把握するまでに多くの時間を所要する。
【０００７】
従って、災難が発生した超高層または地下複合建物では要員が災難現場に実際投入されるまでに、自体的に災難状況を把握し、把握した災難状況に応じて建物内に備えられた災難対応用品を用いて災難を鎮圧しながら人を安全な場所に待避させなければならない。
【０００８】
このため、超高層または地下複合建物では災難が発生する場合、災難状況を迅速で且つ正確に把握して災難に対応することが最も重要である。
【発明の概要】
【発明が解決しようとする課題】
【０００９】
本発明は上記のような重要性を勘案して創出したものであって、災難による被害拡散防止及び被害軽減のために被害を予測して災難に対応できる情報を提供する災難管理システム及びその方法を提供するところにその目的がある。
【課題を解決するための手段】
【００１０】
上述した課題を解決するために、本発明の一面に係る高層建物に対する災難管理システムは、前記高層建物に発生した災難を感知する感知部と、感知された災難情報を基に前記高層建物の災難被害を予測する予測部と、予測された被害情報を基に前記発生した災難に対応できる対応情報を提供する対応部を有する。
【００１１】
本発明の他面に係る高層建物に対する災難管理方法は、前記高層建物に発生した災難を感知するステップと、感知された災難情報を基に前記高層建物の災難被害を予測するステップと、予測された被害情報を基に前記発生した災難に対応できる対応情報を提供するステップを有する。
【発明の効果】
【００１２】
本発明によると、初期対応を行なうことができるので、災難による被害拡散防止及び被害を軽減できる効果がある。
【００１３】
特に、人を安全な場所に待避させることができるので、人名被害を最小化できるという利点がある。
【図面の簡単な説明】
【００１４】
【図１】本発明の一実施の形態に係る災難管理システムを説明したブロック図である。
【図２】災難管理システムを説明した例示図である。
【図３】非常対応計画運営組織の構成を説明した例示図である。
【図４】非常対応計画運営組織の構成を説明した例示図である。
【図５】災難対応手続きの標準化を説明した例示図である。
【図６】避難施設識別番号を説明した例示図である。
【図７】本発明の一実施の形態に係る災難管理方法を説明したフローチャートである。
【発明を実施するための形態】
【００１５】
本発明の利点及び特徴並びにそれらを達成する方法は、図面と実施の形態を参照すれば明確に理解できる。しかし、本発明は以下に開示される実施の形態に限定されるのではなく様々な形態として具現され、ただ本実施の形態は、本発明の開示を完全にし、本発明の属する技術分野において通常の知識を持つ者に発明のカテゴリを容易に理解できるように提供され、さらに請求の範囲の記載により定義される。一方、本明細書で使用された用語は、実施の形態を説明するためのものであって本発明を制限するものではない。本明細書において、単数形は文章で特に言及しない限り複数形も含む。明細書で使用される“有する（comprise,comprising）”は、言及された構成要素、ステップ、動作及び/または素子以外の一つ以上の他の構成要素、ステップ、動作及び/または素子の存在または追加を排除しない。
【００１６】
本発明の災難管理システムは、事前災難影響性検討を基に災難を予防及び対処し、建築法/消防法などの関連法との重複性を排除する。
【００１７】
以下、本発明の実施の形態を図面に即して詳細に説明する。
【００１８】
図１ないし図６を参照して本発明の一実施の形態に係る災難管理システムを説明する。図１は、本発明の一実施の形態に係る災難管理システムを説明するためのブロック図であり、図２は災難管理システムを説明するための例示図、図３及び図４は非常対応計画運営組織の構成を説明するための例示図、図５は災難対応手続きの標準化を説明するための例示図、図６は避難施設識別番号を説明するための例示図である。
【００１９】
図１に示したように、本発明の災難管理システムは災難感知装置１００、予測部２００、対応部３００、オーディオ装置４００及び通信装置５００を有する。災難管理システムは、建物情報、保安情報などを有する基本情報を保有しており、災難発生時に災難を処理するための情報を提供するために災難を監視する。また、災難が発生して進行し続ける場合、予想される被害範囲を予測して災難種類別、段階別に対応情報を提供することによって災難に対応できるようにする。
【００２０】
即ち、本発明の災難管理システムは、図２に示されたように災難予防及び被害軽減技術、災難管理方案を有し、総合防災室情報システム、災難管理総合システム、各種のデータベース（建物の図面ＤＢ、関連機関ＤＢ、周辺施設ＧＩＳ及び図面ＤＢ、国家ＮＤＭＳ  ＤＢなど）を含んで構成される。災難管理システムは、基本的に保有している建物情報、周辺情報及び保安情報と災難感知装置１００を介して感知された災難感知情報を事故及び被害拡散予測シミュレーターによってシミュレーションして災難被害を予測し、予測された災難被害を根拠に対応情報（防災情報及び待避経路など）をスピーカー、ＦＡＸ、Ｅ−ＭＡＩＬ、ＳＭＳなどを利用して関連機関と連携して災難に対応することができる。
【００２１】
本発明の災難管理システムを各構成要素別に、より詳細に説明すれば、災難感知装置１００、即ち感知部は火災感知器、ＣＣＴＶ、電話、センサー、水位計、地震計、地盤変形の進行状態を計測する機器などを有し、高層建物などに設けられて火災、浸水、テロ、地震、強風による崩落などを含む災難情報を感知して伝達する。
【００２２】
例えば、災難感知装置１００は、集中豪雨の内水氾濫による地下階の浸水、台風または強風による外壁の破損、テロによる飛行機外部の衝撃または石油類火災、地震による火災、失火または放火による火災、テロによる有毒ガス汚染、ボイラーなどの有毒ガス漏洩による有毒ガス汚染、電気またはガスによる火災、施設崩壊による構造崩壊などを感知する。
【００２３】
予測部２００は、伝達された災難情報を通じて建物に発生した災難による被害を予測する。即ち、予測部２００は災難による被害を予測することにおいて、災難感知装置１００から伝達された災難情報と、建物概要及び周辺情報、リフト/消防防災設備情報及び照明/電力情報、自家発電設備情報などを含む建物情報及び内外部ＣＣＴＶ/保安センサーにより監視された保安情報を活用して災難被害を予測する。
【００２４】
例えば、予測部２００は、建物などの標準災難シナリオ（建物情報及び保安情報）を基に災難情報によるシミュレーションを行い（火災が発生した場合、火災拡散被害を予測し）、シミュレーションによって予測された建物などでの被害拡散情報を３次元に変換して表出することもできる。
【００２５】
対応部３００は、発生した災難の類型、進行段階及び担当体系のうち少なくともいずれか一つによる対応マニュアルを基に対応情報を提供する。例えば、対応部３００は、火災、浸水、テロ、地震、崩落などに災難の類型を区分し、関心、注意、警戒、深刻などに災難進行段階を区分して担当者別の対応マニュアルを基に災難状況に対応できる対応情報を提供する。
【００２６】
担当者別対応マニュアルには、担当者が総括災難管理者、防火/防災管理者、初期対応組織、非常担当職員、外部救助隊、外部医療救急チーム、市/区地域防災チームなどに区分された内容が含まれており、事前に樹立された担当者職能別教育体系を基に職能別教育（カリキュラム、時間）、職能別資格認証教育、職能別資格報酬教育などの内容が含まれる。
【００２７】
災難類型及び災難進行段階による判断基準は表１のように設定され、対応部３００は、災難発生時に災難対応のための意思決定を表１を基準に判断してそれに適合した対応情報を提供することができる。
【表１】
2011233150.tif 000003
【００２８】
対応部３００は、対応情報を建物などに設けられたオーディオ装置４００を介して放送したり、有無線通信を介して建物の内部または外部に伝送することで提供することができる。
【００２９】
例えば、対応部３００は、表１を基準に発生した災難に適合した対応情報を決定した後、直接オーディオ装置４００を介して建物の内部に位置した人と建物の外部に位置した人に災難状況を知らせて待避することができるようにする。
【００３０】
また対応部３００は、災難状況を担当者別対応マニュアルに応じて有無線通信装置５００を用いて、内部の各担当者に知らせたり外部の災難担当機関に知らせて各自の役割を果たせるようにする。即ち、対応部３００は、対応人力にＳＭＳで対応情報を知らせて対応情報に応じて役割を果たせるようにし、ＦＡＸやＥ−ＭＡＩＬなどで外部機関に知らせることもできる。
【００３１】
対応部３００は、提供された対応情報に応じて建物などで災難への対応が行なわれているかどうかをモニターする。例えば、対応部３００は、各担当者（対応人力）がそれぞれ所持したＲＦＩＤタグの位置を把握することで提供された対応情報による対応が適切に行なわれているかどうかを把握することができる。即ち、対応部３００は、対応人力‘甲’に１５階で避難支援を行なうように対応情報を伝送した場合、対応人力‘甲’の所持したＲＦＩＤタグが１５階のリーダー機を介して確認されているかどうかをチェックすることによって、提供された対応情報に応じて対応人力‘甲’が、担当の役割（業務）を果たしているかどうかを把握することができる。
【００３２】
また、ＲＦＩＤタグを所持した人の位置を把握することで提供された対応情報に応じて建物内の人が待避したかどうか、即ち避難状況を把握することができる。
【００３３】
対応部３００は、モニタリング結果、対応が行なわれていない場合、対応情報を再放送したり再伝送する。例えば、対応部３００は、提供された対応情報に応じて人が待避していなかったり、各担当者が対応情報に応じて担当の役割（指定された位置で人の待避を助けるなどの役割）を果たしていない場合、対応情報を再放送したり再伝送して人が災難に対応して安全に待避し、各担当の役割を果たせるように促すことができる。
【００３４】
モニタリング結果は、災難鎮圧後、災難被害に対する責任所在を明らかにすることにおいて、根拠資料として使用することができる。
【００３５】
一方、災難管理システムは、予測された被害情報に応じて非常対応計画運営組織を図３に示されたように、総括災難管理責任者（所有者雇用）、防火/防災管理者（管理権原者雇用）、非常担当職員を含んで単一管理権原で構成することができ、図４に示されたように、総括災難管理責任者（所有者雇用）下に選任防火/防災管理者、防火/防災管理者、非常担当職員を含んで構成された運営組織が、少なくとも２つ以上含まれる複数の管理権原として構成することもでき、このように構成された非常対応計画運営組織に対応情報を伝送することができる。
【００３６】
非常対応計画運営組織の対応情報（業務）は、表２のように設定される。
【表２】
2011233150.tif 000004
【００３７】
設定された対応情報は、災難対応手続きに標準化することができ、災難管理システムは予測された各担当者が標準化された災難対応手続きに応じて災難に対応できるように対応情報を提供することができる。
【００３８】
例えば、災難管理システムは、図５に示されたように、災難が発生したことが受付られる場合、警戒水準の災難対応であれば、総括災難管理責任者、防火/防災管理者、初期対応組織、非常担当職員体系で各担当者が標準行動要領に応じて行動し、状況が終了すれば非常担当職員が総括災難管理責任者に災難状況が終了したということを知らせるように対応情報を提供することができる。
【００３９】
また、災難管理システムは深刻水準災難対応である場合、総括災難管理責任者が災難対応機関（外部消防隊、医療支援機関、テロ対応機関、地域防災特殊組織など）に災難状況を知らせ、内部対応組織にも知らせて避難誘導業務を実行し、状況が終了すれば内部対応組織で総括責任者に状況終了を知らせるように各担当者に対応情報を提供することができる。
【００４０】
これにより、災難管理システムは標準化された災難対応手続きに応じて各担当者に災難による対応情報を提供することができ、各担当者が災難状況で各自に与えられた役割を碌に行なったかどうかもモニターすることができる。
【００４１】
一方、非常対応計画組織の行動要領は、災難の種類に応じて災難対応標準行動要領に提案され、提案された行動要領などは効果的な災難対応シナリオ構築などに適用される。
【００４２】
例えば、災難管理システムで各担当者に提供する対応情報である総括災難管理責任者、防火/防災管理者、初期対応組織、非常担当職員の対応手続きは状況発生（注意）、初期対応（警戒）、本格支援（深刻）、状況終了に区分されて各災難対応標準行動要領に作成される。
【００４３】
災難対応組織別標準行動要領（各担当者に提供される対応情報）を、火災を一例として、より詳しく説明すると表３の通りである。
【表３】
2011233150.tif 000005
【００４４】
初期対応組織は、防火/防災管理者を除いた建物安全管理者など非常担当職員（設備、危険物、保安など）で構成され、このような場合、非常担当職員などは兼職が許容される。
【００４５】
初期対応組織は、組織隊長を含んで各業務別に１名にして計５名で構成され、標準行動要領に応じて災難対応業務、情報収集設備監視、避難誘導、救出救護などの業務が与えられる。初期対応組織から与えられた業務を行なえるように個人用装備（防火服、消防用ヘルメット、警報発生器、携帯用照明器具、防毒面、携帯用無線機、情報伝達機器など）、対応装備（消火器など消火器資材、進入路破壊器具、ロープ、携帯用拡声器など）、避難案内装備（警報発生器、夜光棒など）、救出救護装備（救出用器具、担架、包帯、三角巾など応急処置器具）等は建物内に既に備えられていることを前提とする。
【００４６】
一方、災難管理システムの災難管理による初期対応が円滑に行なわれるように避難施設には識別番号が与えられる。
【００４７】
即ち、識別番号は避難施設を符号化し表示したものであって、災難発生時に初期対応組織及び居住者などが避難施設に対する識別を容易に行なえるようにする。例えば、避難施設が設けられたフロアまたは区域は数字を利用し、避難施設はアルファベットを利用して表示することで識別を容易に行なえるようになる。
【００４８】
避難施設符号標識の設置において、避難階段、昇降機などの開始または終了地点の床に設けられることを原則とする。床に設け難い時には床から１ｍ以下の位置に設けられるようにする。標識の大きさは識別が容易なように８０ｃｍ×８０ｃｍ以上の大きさとする。例えば、地下１０階の一番目の非常階段を図６のように表示する。
【００４９】
以上、図１ないし図６を参照して本発明の一実施の形態による災難管理システムを説明し、以下では、図７を参照して本発明の一実施の形態による災難管理方法を説明する。図７は、本発明の災難管理方法を説明するためのフローチャートである。
【００５０】
図７に示されたように、高層建物などに災難が発生すれば、災難感知装置１００により災難情報が感知され、感知された災難情報は１１９状況室などに設けられた機器に受付られる。即ち、事故状況に対応するために１１９状況室などでは感知された災難情報（事故情報）が受付られる（Ｓ７１０）。
【００５１】
受付られた事故情報を基に高層建物の災難被害を予測することができる。
【００５２】
予測された災難被害を基に事故段階が、関心、注意、警戒、深刻のうちいずれかの段階に該当するかを判断する（Ｓ７２０）。
【００５３】
いずれかの段階に該当する場合、自治団体次元の対応が可能かどうかを判断する（Ｓ7３０）。
【００５４】
自治団体次元の対応が可能である場合は、市郡区市道の超高層対応対策本部を運営する（Ｓ7４０）。
【００５５】
しかし、自治団体次元の対応が可能でない場合は、超高層対応統制団を運営する（Ｓ7５０）。
【００５６】
判断された段階による対応情報（支援機関情報）を提供し、提供された対応情報に応じて志願動員/指揮統制及び支援機関協力/非常警告/大衆情報/被害状況分析/救助鎮圧/応急医療/現場統制/緊急復旧/緊急救護/特別災難地域宣布要求などを行なう（Ｓ7６０）。
【００５７】
しかし、いずれかの段階に該当しない場合、日常的な処理手続きによる状況処理（内部対応）を行なうよう対応情報を提供する（Ｓ7７０）。
【００５８】
正常状態に復旧する（Ｓ7８０）。
【００５９】
一方、災難管理システムが災難を管理するに先立って災難管理方案として被害軽減計画などが事前に樹立され、災難が発生して鎮圧された後毎にアップデートされる。
【００６０】
避難軽減のためには、何よりも災難予防が最優先されるので、このための被害軽減計画は、施設点検、工事中安全、放火中止対策、有害危険物管理などを施行できるように樹立される。
【００６１】
また、被害軽減計画は、災難対応に適合した組織が構成され、構成された組織の教育訓練を施行できるように樹立される。
【００６２】
最後に、被害軽減計画は、災難に対応するための避難施設構造が管理され、類型別災難対応マニュアルが作成されて災難が発生すると、作成されたマニュアルに応じて避難誘導、救出救護を行なうように樹立される。
【００６３】
このような、被害軽減計画樹立の核心要素として、組織、施設管理、避難誘導、施設点検、対応などが挙げられ、分析対象としては、消防施設設置及び維持管理に関する法律 - 消防計画書、自然災害対策法 - 非常対処計画、施設物安全管理特別法 - 安全及び維持管理計画などが挙げられる。
【００６４】
災難対応組織の教育訓練方案として災難管理組織を構成することができる。即ち、総括災難管理者としては管理主体が指定した者、防火防災管理者としては昼/夜間防災室責任者、初期対応組織としては初期対応専担組織、非常担当職員としては一般職員に設定して構成することができる。
【００６５】
教育訓練対象者は、総括災難管理者、防火/防災管理者、初期対応組織、非常担当支援、占有者（居住者）、利用者（出入者）などが挙げられる。
【００６６】
災難管理者のための教育訓練、災難対応教育内容を分析してみると、災難管理士養成教育として国家災難管理体系、標準災難管理体系、災難管理法、災難管理の方法論などが挙げられる。
【００６７】
警戒段階までは自体対応できるようにし、深刻段階で外部対応組織到着で引継ぎと引き受けを行えるようにし、シナリオに応じた段階別の措置事項、施設に応じて適合したシナリオを追加できるように構成（建物に適宜に保安可能）することができ、災難対応組織の段階別の役割を明示することができる。
【００６８】
これにより、災難発生時に初期対応を適切に行なうことができるので、災難に因る被害拡散防止及び被害を軽減させることができ、特に人を安全な場所に待避させることができるので、人名被害を最小化することができる。
【００６９】
以上、望ましい実施の形態と図面を参照して本発明の構成について詳細に説明したが、これは例示に過ぎず本発明の技術的思想を逸脱しないカテゴリ内で様々な変形が可能である。よって、本発明の範囲は説明された実施の形態に局限されて決められてはならず、後述する特許請求の範囲だけでなくこの特許請求の範囲と均等なものにより決めなければならない。
【符号の説明】
【００７０】
１００    災難感知装置
２００    予測部
３００    対応部
４００    オーディオ装置
５００    通信装置
【図１】
2011233150.tif 000006
【図２】
2011233150.tif 000007
【図３】
2011233150.tif 000008
【図４】
2011233150.tif 000009
【図５】
2011233150.tif 000010
【図６】
2011233150.tif 000011
【図７】
2011233150.tif 000012